【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
半透明な毛羽のある糸のカラー画像を作成するための糸画像の作成方法において、
異なる背景画像(Ｇ1，Ｇ2)を用いて、少なくとも２回光学的に糸のカラー入力画像Ａ，Ｃを読み取って記憶し、
糸自体のカラー画像をＸ、糸の不透明度の画像をＤとして、
Ａ＝Ｇ1＋(Ｘ−Ｇ1)Ｄ
Ｃ＝Ｇ2＋(Ｘ−Ｇ2)Ｄ
からなる連立方程式をＸ，Ｄに付いて解き、
糸の不透明度の画像Ｄを、糸が完全に不透明なピクセルで１，完全に透明なピクセルで０として、Ｄの値が第１の所定値以下のピクセルに対してＤの値を０とすると共に、Ｄの値が第２の所定値以上のピクセルに対してＤの値を１に変更し、
得られた糸自体のカラー画像Ｘと糸の不透明度の画像Ｄとを、糸のカラー画像(Ｘ，Ｄ)として記憶することを特徴とする、糸画像の作成方法。
【請求項２】
糸のカラー入力画像の読み取りでは、カバー付きのカラースキャナに糸をセットして、カバーを開いた状態で糸のカラー入力画像Ａを読み取り、カバーを閉じた状態で糸のカラー入力画像Ｃを読み取ることを特徴とする、請求項１の糸画像の作成方法。
【請求項３】
前記カラースキャナへの糸のセットでは、糸がカバーで圧縮されないようにすることを特徴とする、請求項２の糸画像の作成方法。
【請求項４】
得られた糸のカラー画像(Ｘ，Ｄ)を用いて、該糸を用いた繊維製品のシミュレーション画像を作成することを特徴とする、請求項１の糸画像の作成方法。
【請求項５】
半透明な毛羽のある糸の画像を作成するための糸画像の作成装置において、
異なる背景画像(Ｇ1，Ｇ2)を用いて、少なくとも２回光学的に糸のカラー入力画像Ａ，Ｃを読み取るための読み取り手段と、
読み取った糸のカラー入力画像を記憶するための手段と、
糸自体のカラー画像をＸ、糸の不透明度の画像をＤとして、
Ａ＝Ｇ1＋(Ｘ−Ｇ1)Ｄ
Ｃ＝Ｇ2＋(Ｘ−Ｇ2)Ｄ
からなる連立方程式をＸ，Ｄに付いて解くための手段と、
糸の不透明度の画像Ｄを、糸が完全に不透明なピクセルで１，完全に透明なピクセルで０として、Ｄの値が第１の所定値以下のピクセルに対してＤの値を０とすると共に、Ｄの値が第２の所定値以上のピクセルに対してＤの値を１に変更するための手段と、
得られた糸自体のカラー画像Ｘと糸の不透明度の画像Ｄとを、糸のカラー画像(Ｘ，Ｄ)として記憶するための手段とを設けたことを特徴とする、糸画像の作成装置。
【請求項６】
前記読み取り手段はカバー付きのカラースキャナで、該カラースキャナに糸をセットして、カバーを開いた状態で糸のカラー入力画像Ａを読み取り、カバーを閉じた状態で糸のカラー入力画像Ｃを読み取ることを特徴とする、請求項５の糸画像の作成装置。
【請求項７】
得られた糸のカラー画像(Ｘ，Ｄ)を用いて、該糸を用いた繊維製品のシミュレーション画像を作成するための手段を設けたことを特徴とする、請求項５の糸画像の作成装置。
【請求項８】
半透明な毛羽のある糸の画像を作成するための糸画像の作成プログラムであって、
異なる背景画像(Ｇ1，Ｇ2)を用いて、少なくとも２回光学的に読み取った糸のカラー入力画像Ａ，Ｃを記憶するための命令と、
糸自体のカラー画像をＸ、糸の不透明度の画像をＤとして、
Ａ＝Ｇ1＋(Ｘ−Ｇ1)Ｄ
Ｃ＝Ｇ2＋(Ｘ−Ｇ2)Ｄ
からなる連立方程式をＸ，Ｄに付いて解くための命令と、
糸の不透明度の画像Ｄを、糸が完全に不透明なピクセルで１，完全に透明なピクセルで０として、Ｄの値が第１の所定値以下のピクセルに対してＤの値を０とすると共に、Ｄの値が第２の所定値以上のピクセルに対してＤの値を１に変更するための命令と、
得られた糸自体のカラー画像Ｘと糸の不透明度の画像Ｄとを、糸のカラー画像(Ｘ，Ｄ)として記憶するための命令とを設けたことを特徴とする、糸画像の作成プログラム。
【請求項９】
得られた糸のカラー画像(Ｘ，Ｄ)を用いて、該糸を用いた繊維製品のシミュレーション画像を作成するための命令を設けたことを特徴とする、請求項８の糸画像の作成プログラム。
【手続補正２】
【補正対象書類名】明細書
【補正対象項目名】発明の名称
【補正方法】変更
【補正の内容】
【発明の名称】糸画像作成装置と糸画像作成方法、並びに糸画像作成プログラム
【手続補正３】
【補正対象書類名】明細書
【補正対象項目名】０００６
【補正方法】変更
【補正の内容】
【０００６】
この発明の半透明な毛羽のある糸の画像を作成するための糸画像の作成装置は、
異なる背景画像(Ｇ1，Ｇ2)を用いて、少なくとも２回光学的に糸のカラー入力画像Ａ，Ｃを読み取るための読み取り手段と、
読み取った糸のカラー入力画像を記憶するための手段と、
糸自体のカラー画像をＸ、糸の不透明度の画像をＤとして、
Ａ＝Ｇ1＋(Ｘ−Ｇ1)Ｄ
Ｃ＝Ｇ2＋(Ｘ−Ｇ2)Ｄ
からなる連立方程式をＸ，Ｄに付いて解くための手段と、
糸の不透明度の画像Ｄを、糸が完全に不透明なピクセルで１，完全に透明なピクセルで０として、Ｄの値が第１の所定値以下のピクセルに対してＤの値を０とすると共に、Ｄの値が第２の所定値以上のピクセルに対してＤの値を１に変更するための手段と、
得られた糸自体のカラー画像Ｘと糸の不透明度の画像Ｄとを、糸のカラー画像(Ｘ，Ｄ)として記憶するための手段とを設けたものである。
【手続補正４】
【補正対象書類名】明細書
【補正対象項目名】０００７
【補正方法】変更
【補正の内容】
【０００７】
この発明の半透明な毛羽のある糸のカラー画像を作成するための糸画像の作成方法では、
異なる背景画像(Ｇ1，Ｇ2)を用いて、少なくとも２回光学的に糸のカラー入力画像Ａ，Ｃを読み取って記憶し、
糸自体のカラー画像をＸ、糸の不透明度の画像をＤとして、
Ａ＝Ｇ1＋(Ｘ−Ｇ1)Ｄ                    (1)
Ｃ＝Ｇ2＋(Ｘ−Ｇ2)Ｄ                    (2)
からなる連立方程式をＸ，Ｄに付いて解き、
糸の不透明度の画像Ｄを、糸が完全に不透明なピクセルで１，完全に透明なピクセルで０として、Ｄの値が第１の所定値以下のピクセルに対してＤの値を０とすると共に、Ｄの値が第２の所定値以上のピクセルに対してＤの値を１に変更し、
得られた糸自体のカラー画像Ｘと糸の不透明度の画像Ｄとを、糸のカラー画像(Ｘ，Ｄ)として記憶する。
【手続補正５】
【補正対象書類名】明細書
【補正対象項目名】０００８
【補正方法】変更
【補正の内容】
【０００８】
この発明の半透明な毛羽のある糸の画像を作成するための糸画像の作成プログラムは、
異なる背景画像(Ｇ1，Ｇ2)を用いて、少なくとも２回光学的に読み取った糸のカラー入力画像Ａ，Ｃを記憶するための命令と、
糸自体のカラー画像をＸ、糸の不透明度の画像をＤとして、
Ａ＝Ｇ1＋(Ｘ−Ｇ1)Ｄ                    (1)
Ｃ＝Ｇ2＋(Ｘ−Ｇ2)Ｄ                    (2)
からなる連立方程式をＸ，Ｄに付いて解くための命令と、
糸の不透明度の画像Ｄを、糸が完全に不透明なピクセルで１，完全に透明なピクセルで０として、Ｄの値が第１の所定値以下のピクセルに対してＤの値を０とすると共に、Ｄの値が第２の所定値以上のピクセルに対してＤの値を１に変更するための命令と、
得られた糸自体のカラー画像Ｘと糸の不透明度の画像Ｄとを、糸のカラー画像(Ｘ，Ｄ)として記憶するための命令とを備えたものである。
【手続補正６】
【補正対象書類名】明細書
【補正対象項目名】０００９
【補正方法】変更
【補正の内容】
【０００９】
好ましくは、糸のカラー入力画像の読み取りでは、カバー付きのカラースキャナに糸をセットして、カバーを開いた状態で糸のカラー入力画像Ａを読み取り、カバーを閉じた状態で糸のカラー入力画像Ｃを読み取る。
また好ましくは、カラースキャナへの糸のセットでは、糸がカバーで圧縮されないようにする。
さらに好ましくは、得られた糸のカラー画像(Ｘ，Ｄ)を用いて、糸を用いた繊維製品のシミュレーション画像を作成する。
【手続補正７】
【補正対象書類名】明細書
【補正対象項目名】００１３
【補正方法】変更
【補正の内容】
【００１３】
この発明の糸画像作成装置や作成方法、作成プログラムでは、図５，図６等に示すように、高品位で正確な画像を簡単に作成できる。
作成した画像では、糸の毛羽やメッシュの孔、ガラス製品などのように、透明度の高い部分でも、対象物体自体の画像と背景の画像とが混ざり合わず、背景によって画像が白っぽくなったり黒っぽくなったりすることがない。このため以下の効果が得られる。
(1)  対象物体の色調や風合いをリアルで立体感を備えた画像で表現できる。特に物体の毛羽などが白っぽくなったり、黒っぽくなったりすることがなく、毛羽などのディティルな部分を繊細に表現できる。
(2)  白い背景で作成した画像を黒い背景と合成して表示しても、輪郭に白筋が生じたりすることがない。同様に黒い背景で作成した画像を白い背景と合成して表示しても、輪郭に黒筋が生じたりすることがない。